(57)【要約】【課題】  作動時に支柱で吊設されたデフレクターが天井から室内側に突出して水を散布するスプリンクラーヘッドであり、支柱の設置された方向への水の散布量を増やしてスプリンクラーヘッドから飛散する水の散布領域において散布量に偏りがないスプリンクラーヘッドを提供する。【解決手段】  デフレクター５は円盤形状をしており、デフレクター５の周縁から放射方向へ延出して形成された羽根Ｈ１に穿設された穴５Ｂにロッド５Ｃが挿通され、デフレクター５はロッド５Ｃの一端に固定され、ロッド５Ｃの他端は本体１の他端側に穿設された穴５Ｅに挿通されて該穴内を摺動可能であり、羽根Ｈ１は円盤部分Ｅよりも放水口１Ｂから遠方に配置され羽根Ｈ１と円盤部分Ｅは斜面Ｓにより接続されており、羽根Ｈ１の近隣には円盤部分Ｅから羽根Ｈ１の延出方向と同じ方向に延びた補助羽根Ｈ２を形成した。【選択図】    図１
2012080961.tif 000002
【特許請求の範囲】
【請求項１】
筒状であり一端が給水配管に接続され内部に放水口を有する本体、本体の他端側に配置され放水口を閉塞する弁体、本体の他端側に配置され放水口から放出された水を衝突させ四方へ飛散させるデフレクター、本体の他端側の端からデフレクターを吊設するロッドを有するスプリンクラーヘッドであり、
デフレクターは円盤形状をしており、デフレクターの周縁から放射方向へ延出して形成された羽根に穿設された穴にロッドが挿通され、デフレクターはロッドの一端に固定され、ロッドの他端は本体の他端側に穿設された穴に挿通されて該穴内を摺動可能であり、羽根は円盤部分よりも放水口から遠方に配置され羽根と円盤部分は斜面により接続されており、羽根の近隣には円盤部分から羽根の延出方向と同じ方向に延びた補助羽根が形成されていることを特徴とするスプリンクラーヘッド。
【請求項２】
斜面に穴が穿設されている請求項１記載のスプリンクラーヘッド。
【請求項３】
円盤部分の中心からロッドの軸を通過する線に対して補助羽根の羽根と向かい合う側の側面は、補助羽根の末端に向かうに従い線に近づくように傾いて面している請求項１または請求項２記載のスプリンクラーヘッド。
【請求項４】
羽根と補助羽根の間の隙間形状は、羽根および補助羽根の末端側の隙間の間隔が羽根および補助羽根の根元側の隙間の間隔よりも狭く形成されている請求項１〜請求項３何れか１項記載のスプリンクラーヘッド。
【請求項５】
円盤部分の周縁には放射状のスリットが複数形成されており、該スリットは長いスリットと短いスリットが交互に形成されている請求項１〜請求項４何れか１項記載のスプリンクラーヘッド。
【発明の詳細な説明】
【技術分野】
【０００１】
本発明は、消火用のスプリンクラーヘッドに関するものである。
【背景技術】
【０００２】
スプリンクラーヘッドは、天井や壁面に設置され、火災の際に作動して水を散布し消火を行うものである。スプリンクラーヘッドの一例として、作動時にデフレクターが天井から室内側に突出して水を散布するものがある。
【０００３】
上記のスプリンクラーヘッドは、複数の支柱で吊設されたデフレクターが、平時は円筒形のフレーム内に収納されている。火災が発生すると分解部分が分解して、該分解部分で支えていたデフレクターが一定距離だけ落下して停止し、本体の放水口から噴出してきた水がこのデフレクターに当たって四方に散布されるものである。
【０００４】
このスプリンクラーヘッドは、特にデフレクターを吊設する支柱の影響が水の散布に大きく現れてしまう。具体的に説明すると、図１１に示すようにデフレクター上を流れる水が円柱状の支柱に当たって二手に分かれ、支柱に沿って流れて支柱の裏側で衝突する。水が衝突するとあちこちに飛び散り、支柱が設置された方向の水量が少なくなり散水分布量が不均一になってしまう問題があった。
【０００５】
そこで本考案出願人は、スプリンクラーヘッドにおける支柱による不均一散布を解消可能なスプリンクラーヘッドを提案している（例えば、特許文献１、２参照）。
【先行技術文献】
【特許文献】
【０００６】
【特許文献１】登録実用新案第３０１４５０４号公報
【特許文献２】実開平６−３９０３０号公報
【発明の概要】
【発明が解決しようとする課題】
【０００７】
本発明では、特に支柱の設置された方向への水の散布量を増やし、スプリンクラーヘッドから飛散する水の散布領域において散布量に偏りがないスプリンクラーヘッドを提供することを目的とする。
【課題を解決するための手段】
【０００８】
上記目的を達成すべく本発明は以下のスプリンクラーヘッドを提供する。
筒状であり一端が給水配管に接続され内部に放水口を有する本体、本体の他端側に配置され放水口を閉塞する弁体、本体の他端側に配置され放水口から放出された水を衝突させ四方へ飛散させるデフレクター、本体の他端側の端からデフレクターを吊設するロッドを有するスプリンクラーヘッドであり、デフレクターは円盤形状をしており、デフレクターの周縁から放射方向へ延出して形成された羽根に穿設された穴にロッドが挿通され、デフレクターはロッドの一端に固定され、ロッドの他端は本体の他端側に穿設された穴に挿通されて該穴内を摺動可能であり、羽根は円盤部分よりも放水口から遠方に配置され羽根と円盤部分は斜面により接続されており、羽根の近隣には円盤部分から羽根の延出方向と同じ方向に延びた補助羽根が形成されている。
【０００９】
本発明のスプリンクラーヘッドは、放水口から放出される水を四方へ散布するデフレクターの周縁から羽根を延出して形成し、さらに円盤部分と羽根を斜面により接続した。これによりデフレクターの中心から羽根の方向に流れてきた水は斜面に沿ってロッドの方向へ流れるとともに、斜面と円盤部分の境界付近を流れる水は斜面と円盤部分の高低差により斜面側に流れ、羽根側に水が導かれる。
【００１０】
円盤部分と斜面の間には段部が形成され、該段部は水流の抵抗となり流れの勢いが弱まる。羽根と補助羽根の間の隙間から飛散した水は、前述の段部にて水の勢いが減少しているのでスプリンクラーヘッドの直下付近である近距離域へ飛散される。
【００１１】
また補助羽根は円盤部分と同じ高さに形成されているので、羽根と補助羽根は高低差を有している。これにより、斜面上を流れてきた水が補助羽根の側面に衝突して該側面に沿って流れて飛散され、スプリンクラーヘッドから離れた中距離域および遠距離域へ散布される。
【００１２】
これらの作用によりロッド方向への水の散布量を増加することができる。
【００１３】
前記本発明について、斜面に穴が穿設されている。
斜面に穴を穿設したことで、斜面上を流れる水の一部が穴を通過して下方へ散布される。該穴を通過した水は斜面により水流が斜め下方へ向けられているので前述のロッド方向の飛散距離の中間部分である中距離域に散布される。
【００１４】
前記本発明について、円盤部分の中心からロッドの軸を通過する線に対して補助羽根の羽根と向かい合う側の側面は、補助羽根の末端に向かうに従い線に近づくように傾いて面している。
斜面を流れてロッドに衝突した水は、両脇にある補助羽根の方向に割れて流れ、デフレクターの中心から斜面を通過して補助羽根の側面に沿って流れた水と合流して補助羽根の末端から飛散される。
【００１５】
補助羽根の羽根と向かい合う側の側面を補助羽根の末端に向かうに従い円盤部分の中心からロッドの軸を通過する線に近づくように傾いて形成したことで、ロッドに衝突して補助羽根の方向に流れた水の方向を補助羽根の側面に沿って流れるように変更させ、ロッド方向の中距離域および遠距離域にまとまった水流を飛散させることができる。
【００１６】
前記本発明について、羽根と補助羽根の間の隙間形状は、羽根および補助羽根の末端側の隙間の間隔が羽根および補助羽根の根元側の隙間の間隔よりも狭く形成されている。
前記隙間において羽根および補助羽根の羽根および補助羽根の末端側の隙間の幅を根元側つまりデフレクターの中心に近い側の幅よりも狭く形成したことで、前述の段部の作用と合わせて根元側の間隔が広い隙間からより多くの水をロッド方向の近距離域へ飛散させる効果を有する。
【００１７】
前記本発明について、円盤部分の周縁には放射状のスリットが複数形成されており、該スリットは長いスリットと短いスリットが交互に形成されている。
円盤部分の周縁に放射状のスリットを形成したことで、長いスリットはデフレクターの直下へ水を散布可能とし、短いスリットはデフレクターから離れた中距離部分へ水を散布可能となる。スリットの無い部分から飛散した水は遠距離部分へ散布される。
【発明の効果】
【００１８】
上記に説明したように本発明によれば、支柱（ロッド）の方向への水の散布量を増やすことができ、これによりスプリンクラーヘッドから放出される水の散布領域において散布量に偏りがないスプリンクラーヘッドを実現することができる。
【図面の簡単な説明】
【００１９】
【図１】本発明のスプリンクラーヘッドの断面図
【図２】図１のスプリンクラーヘッドの本体の正面図
【図３】図２の側面図
【図４】感熱分解部の断面図
【図５】感熱分解部の分解斜視図
【図６】シリンダー・プランジャーの分解断面図
【図７】デフレクターの平面図
【図８】図７のＺ−Ｚ断面図
【図９】図７における流水時の要部拡大図
【図１０】スプリンクラーヘッドの防護領域の説明図
【図１１】従来のスプリンクラーヘッドのデフレクターにおける散布状態の説明図
【発明を実施するための最良の形態】
【００２０】
以下、本発明のスプリンクラーヘッドを図１から図１０を参照して説明する。
【００２１】
本発明のスプリンクラーヘッドＡは、本体１、弁体３、感熱分解部４、デフレクター５、サポートカップ６、カバープレート７を備えており、コンシールド型スプリンクラーヘッドとして構成されている。
【００２２】
図１から図３に示す本体１は中空状であり、一端は充水された配管と接続可能な牡ネジが形成された配管接続部１Ａとなっている。配管接続部１Ａの他端側は放水口１Ｂとなっている。放水口１Ｂの端は弁体３によって閉塞されている。
【００２３】
配管接続部１Ａと放水口１Ｂの間には外周部の断面形状が多角形であるサポートカップ係止部１Ｃが形成されている。サポートカップ係止部１Ｃより放水口１Ｂ側には、サポートカップ係止部１Ｃの外周部より大きな外周を有する鍔部が形成されており、その鍔部の縁から放水側に向けて筒状のフレーム部２が形成されている。本体１は前述の配管接続部１Ａと配管接続部１Ａより大きな外周面を有するフレーム部２とで構成されている。
【００２４】
フレーム部２の外周横断面形状は、円の２箇所を平行に切欠いた形状をしており、具体的には切欠かれた２箇所の直線部と各直線部の間の円弧部とが形成されている。従ってフレーム部２の外周面には断面円弧状の曲面部２Ａと断面直線状の平面部２Ｂが形成されている。平面部２Ｂはフレーム部２の外周面を配管接続部１Ａの側から後述する梁状部２Ｊまで切り欠くように形成された切欠面部として形成されており、そこに開口２Ｅが形成されている。フレーム部２の下部の外周断面形状は、平面部２Ｂが無くなり曲面部２Ａと同じ半径寸法である円形となっている。即ち平面部２Ｂの下方にはフレーム部２の周方向に沿って架設した円弧状部分でなる梁状部２Ｊが形成されている。この梁状部２Ｊはフレーム部２の筒軸を中心とする対向位置に形成されている。
【００２５】
フレーム部２の内周下部（曲面部２Ａの下部と梁状部２Ｊの内周面）には内側に向かって拡張して形成された内方フランジ２Ｃが形成されている。曲面部２Ａの下部に位置する内方フランジ２Ｃにはレバー挿通溝２Ｄ、２Ｄが形成されている（図１）。
【００２６】
レバー挿通溝２Ｄから略９０°回転したフレーム部２の平面部２Ｂには開口２Ｅが形成されている。開口２Ｅはフレーム部２の内側を曲線部２Ａの外径寸法より小さく且つ２つの平面部２Ｂ間の寸法より大きい径寸法で切削することで形成される。
【００２７】
開口２Ｅの下方に位置する梁状部２Ｊの内方フランジ２Ｃは、後述する感熱分解部４のレバー１１が係止されるレバー係止部２Ｆとなる。開口２Ｅの下方の梁状部２Ｊにレバー係止部２Ｆを設けたことで、レバー係止部２Ｆに放水口１Ｂ側からフレーム部２の下端側へ荷重を印加すると、梁状部２Ｊは印加された荷重によって弾性変形するが、開口２Ｅを設けない場合と比較して梁状部２Ｊの弾性変形による変形量を大きくすることができる。そしてこの梁状部２Ｊの弾性変形（たわみ）がバネ力となり、そのバネ力はスプリンクラーヘッドＡが作動した際に感熱分解部４の構成部品を外へはね飛ばす作用を有しておりロッジメントの防止に機能する。
【００２８】
レバー挿通溝２Ｄの外周側にはフレーム部２の下端より下方へ垂下して形成されたデフレクター係止部２Ｇが形成されている。フレーム部２と放水口１Ｂとの境には、弁体３が収容可能な段部２Ｈが形成されている。段部２Ｈにより弁体３が振動や衝撃等によって放水口１Ｂから位置ずれした際の移動を段部２Ｈ内に留めて弁体３が放水口１Ｂから位置ずれして放水口１Ｂ内の水が漏れることを防止している。
【００２９】
弁体３は円盤形状であり、前述の段部２Ｈに収容される。弁体３は後述するコンプレッションスクリュー２１により放水口１Ｂの端に押圧され放水口１Ｂを閉塞している。
【００３０】
図４〜図５に示す感熱分解部４はフレーム部２の梁状部２Ｊに形成された内方フランジ２Ｃ（レバー係止部２Ｆ）に係止され、火災時には火災の熱によって分解作動して弁体３を解放する。感熱分解部４は、レバー１１、支持板１２、バランサー１３、シリンダー１４、プランジャー１５、低融点合金１６、セットスクリュー１７から構成される。感熱分解部４の構成は公知であるので詳細な説明は省略する。
【００３１】
感熱分解部４は図４に示すようなユニット部品として構成され、ユニット部品として保管、運搬が可能である。スプリンクラーヘッドの組立時においても図４で示すユニット部品の状態で本体１に組み込まれる。
【００３２】
感熱分解部４と弁体３の間にはサドル２０が設置される。サドル２０は金属の板材から形成されており、一面には一対のレバー１１が係合する凹部２０Ａが形成されている。凹部２０Ａ、２０Ａの間には、牝ネジ２０Ｂが螺刻されており、該牝ネジ２０Ｂにはコンプレッションスクリュー２１が螺入されている。このコンプレッションスクリュー２１とサドル２０は本発明の荷重発生部材を構成する。
【００３３】
コンプレッションスクリュー２１を感熱分解部４側から弁体３に向かって牝ネジ２０Ｂに螺入すると、コンプレッションスクリュー２１の先端が弁体３を押圧して、弁体３が放水口１Ｂの端に押圧され放水口１Ｂを閉塞するとともに、一対のレバー１１が係止されているフレーム部２の内方フランジ２Ｃを下方に押圧する。これによって梁状部２Ｊが弾性変形し極僅かな変位が生じる。このような梁状部２Ｊのたわみによる変位によって、分解作動時に感熱分解部４の構成部品をフレーム部２の外にはじき飛ばすバネ力が生じる。本実施形態ではコンプレッションスクリュー２１とサドル２０による簡易な部品構成と簡単な組立作業によって、弁体３の止水性と梁状部２Ｊのたわみ変形とに必要な荷重を得ることができる。
【００３４】
デフレクター５は、円盤状であり円盤部分Ｅの周縁に複数のスリット５Ａが形成されている。デフレクター５にはガイドピン５Ｃが嵌合される穴５Ｂ、５Ｂが円盤部分Ｅの周縁から放射方向へ延出して形成された羽根Ｈ１に穿設されており、該穴５Ｂにガイドピン５Ｃの一端が挿通され、カシメ固定される。
【００３５】
ガイドピン５Ｃは本体１のデフレクター係止部２Ｇに穿設された穴５Ｅに挿通されている。ガイドピン５Ｃは穴５Ｅに挿通された状態で摺動可能である。ガイドピン５Ｃの他端側には鍔部５Ｄが形成されており、本体１のデフレクター係止部２Ｇの穴５Ｅの端面に係止可能である。
【００３６】
デフレクター５の羽根Ｈ１は円盤部分Ｅと高低差が設けられており、羽根Ｈ１は円盤部分Ｅよりも放水口１Ｂから遠い側へ配置されている。羽根Ｈ１と円盤部分Ｅは斜面Ｓにより接続されており、羽根Ｈ１の近隣には円盤部分Ｅから羽根Ｈ１の延出方向と同じ方向に延びた補助羽根Ｈ２が形成されている。
【００３７】
デフレクター５の中心から羽根Ｈ１の方向に流れてきた水は斜面Ｓに沿ってガイドピン５Ｃの方向へ流れるとともに、斜面Ｓと円盤部分Ｅの境界付近を流れる水は斜面Ｓと円盤部分Ｅの高低差により斜面Ｓ側に流れ、羽根Ｈ１側に水が導かれる。
【００３８】
羽根Ｈ１と補助羽根Ｈ２の間には隙間Ｈ４が形成されており、斜面Ｓと円盤部分Ｅの境界に形成された段部Ｄは水流の抵抗となり、勢いが弱まった水は隙間Ｈ４からデフレクター５の直下へ飛散して図１０に示すスプリンクラーヘッドＡに近い近距離域Ａ１へ散布される。
【００３９】
ここで図１０について説明する。点線で示す矩形の領域内がスプリンクラーヘッドＡの防護範囲であり、スプリンクラーヘッドＡは防護範囲内において定められた水量よりも多く散布しなければならないことが法令にて定められている。本発明では説明を理解しやすくするために、スプリンクラーヘッドＡを中心として、近い位置から近距離域Ａ１、中距離域Ａ２、遠距離域Ａ３として分けている。
【００４０】
補助羽根Ｈ２は円盤部分Ｅと同じ高さに設置され、補助羽根Ｈ２と羽根Ｈ１には高低差が設けられている。羽根Ｈ１の部分に流れてガイドピン５Ｃに衝突して補助羽根Ｈ２の方向に分散した水は、補助羽根Ｈ２の側面Ｈ３に沿って流れる水と合流される。
【００４１】
補助羽根Ｈ２の羽根Ｈ１側の側面Ｈ３は、円盤部分Ｅの中心からガイドピン５Ｃの軸を通過する線Ｌに対して末端側が線Ｌに近づくように傾いて面している。それに対して羽根Ｈ１は線Ｌと平行に形成されており、隙間Ｈ４は末端側の間隔がデフレクターの中心側の間隔より狭く形成されている。
【００４２】
このように構成したことで、デフレクター５の中心から補助羽根Ｈ２に向かって流れてきた水は、側面Ｈ３に衝突して線Ｌの方向へ向かう流れの向きに変更され補助羽根Ｈ２の末端から図１０に示すスプリンクラーヘッドＡから離れた中距離域Ａ２および遠距離域Ａ３へ散布される。また羽根Ｈ１と補助羽根Ｈ２の間の隙間Ｈ４はデフレクターの中心側の幅の広い部分から水が下方へ飛散され近距離域Ａ１に散布される。
【００４３】
羽根Ｈ１と円盤部分Ｅの間の斜面Ｓには長穴Ｈ５が穿設されている。長穴Ｈ５は斜面Ｓ上を流れる水を長穴Ｈ５から下方へ導き、近距離域Ａ１と遠距離域Ａ３の間の中距離域Ａ２へ散布される。
【００４４】
円盤部分Ｅの放水口１Ｂ側の面には曲面形状の突起Ｔが設置されている。突起Ｔは放水口１Ｂより放出された水を衝突させて放射方向へ流れの向きを変え、デフレクター５の周縁に向かって流す作用を有している。突起Ｔの曲面部分Ｔ１とデフレクター５の間には突起Ｔの側面Ｔ２が形成されている。
【００４５】
デフレクター５の周縁には放射状のスリットが複数形成されており、該スリットは長いスリットＥ１と短いスリットＥ２が交互に形成されている。
【００４６】
これらのスリットＥ１、Ｅ２を形成したことで、突起Ｔの曲面Ｔ１上を流れる水が側面Ｔ２に沿って流れ、スリットＥ１を通過してデフレクター５の直下の近距離域Ａ１へ水が散布される。また短いスリットＥ２は突起Ｔから離れた位置に形成されているので、水は突起Ｔ上を流れてデフレクター５の円盤部分Ｅを通過してスリットＥ２から飛散されるので中距離域Ａ２へ水が散布される。スリットの無い部分から飛散した水はスリットにより水流の勢いを失うことがないので遠距離域Ａ３へ散布される。
【００４７】
サポートカップ６は、本体１のフレーム部２の外側を覆う有底円筒形状の部材である。サポートカップ６の底部６Ａには前述の本体１のサポートカップ係止部１Ｃと嵌合可能な開口６Ｂが形成されている。サポートカップ係止部１Ｃと開口６Ｂを嵌合させることで、サポートカップ６が本体１に対して回転することを防止できる。
【００４８】
開口６Ｂの周縁には外側へ向かって立設した筒状部６Ｃが形成されている。筒状部６Ｃの端面の位置はサポートカップ係止部１Ｃの端面より配管接続部１Ａ側にあり、筒状部６Ｃの端は本体１の配管接続部１Ａとサポートカップ係止部１Ｃとの間の括れ部１Ｄ付近に位置する。筒状部６Ｃの根元の数箇所に切り込みを入れた後、切り込みの上部を外周側から括れ部１Ｄ側に押圧して切り込みの上部を括れ部１Ｄ側に変形させ係合部６Ｄを形成することで係合部６Ｄと括れ部１Ｄが係合され、サポートカップ６を本体１に固定設置することができる。
【００４９】
サポートカップ６の底面内側には前述の開口６Ｂと同様な開口が形成されたベースプレート６Ｅが設置されている。またサポートカップ６の底面６Ａの周縁付近には均等間隔で複数の開口６Ｆが穿設されている。開口６Ｆはサポートカップの底面６Ａから側面６Ｇにまで及んでいる。側面６Ｇの端面側には螺旋溝６Ｈが形成されている。
【００５０】
カバープレート７は、サポートカップ６内の本体１や感熱分解部４、デフレクター５を覆い隠す薄板状の蓋７Ａと、円筒形状のリテーナー７Ｂから構成される。カバープレート７は、本体１の配管接続部１Ａを消火設備配管に接続した後にサポートカップ６に接続されることから、前述の本体１やサポートカップ６とは別部品として組立てられる。
【００５１】
蓋７Ａは円盤形状であり材質は熱を伝播しやすい銅や銅合金を用いる。リテーナー７Ｂは筒状であり下端から垂下した複数の脚の先端が折り曲げられ、蓋７Ａとの接続面７Ｃが形成されている。接続面７Ｃと蓋７Ａは低融点合金７Ｄにより接合される。低融点合金７Ｄは前述のシリンダー１４内の低融点合金１６より融点が低いものを用いる。
【００５２】
リテーナー７Ｂの周面には前述のサポートカップ６の螺旋溝６Ｈと螺合可能な突起７Ｅが形成されている。該突起７Ｅはリテーナー７Ｂの周面に切り込みを入れ、突起７Ｅが斜め下方に突出するように形成されている。突起７Ｅはストッパーの作用を有しておりサポートカップ６の螺旋溝６Ｈと螺合状態の際にリテーナー７Ｂを下方に引き抜こうとすると突起７Ｅが螺旋溝６Ｈに引っ掛かり抜け止めとなる。
【００５３】
逆にサポートカップ６にリテーナー７Ｂを嵌め入れる際には突起７Ｅは螺旋溝６Ｈ上で弾性変形して螺旋溝６Ｈ上を通過することが可能である。従って、サポートカップ６にリテーナー７Ｂを嵌め込む際にはリテーナー７Ｂをサポートカップ６に押し込むワンプッシュ操作で設置可能である。
【００５４】
次に本発明のスプリンクラーヘッドの作動について説明する。
【００５５】
本発明のスプリンクラーヘッドＡは常時において、配管接続部１Ａが充水された消火設備配管に接続されており、放水口１Ｂ内は水で満たされている。天井面Ｗからはカバープレート７の蓋７Ａのみが露出している。
【００５６】
火災が発生すると、火災の熱によって熱せられた空気が上昇して天井面Ｗ付近を漂う。蓋７Ａは熱気流より熱を吸収して低融点合金７Ｄに熱を伝える。また天井面Ｗと蓋７Ａの隙間からカバープレート７内に流入してきた熱気流はスプリンクラーヘッドＡの感熱分解部４に熱を伝える。
【００５７】
低融点合金７Ｄが溶融して蓋７Ａとリテーナー７Ｂの接続面７Ｃとの接合強度が弱まると、蓋７Ａは落下してカバープレート７内部にあるデフレクター５が落下し、鍔部５Ｄが本体１のデフレクター係止部２Ｇに係止され、デフレクター５が吊設した状態になる。
【００５８】
続いて感熱分解部４が火災の熱により分解作動することで感熱分解部４により支えられていた弁体３が開放して放水口１Ｂが開放する。放水口１Ｂの開放により消火設備配管内の水が放水口１Ｂから放出してデフレクター５の突起Ｔに衝突し放射方向へ流水の向きを変えられる。
【００５９】
突起Ｔの表面を沿って流れた水はデフレクター５の円盤部分Ｅおよび羽根Ｈ１、補助羽根Ｈ２やスリットＥ１、Ｅ２の表面を通過して四方へ飛散され、火災の消火を行う。
【符号の説明】
【００６０】
Ａ  スプリンクラーヘッド
１  本体  
１Ａ  配管接続部  
１Ｂ  放水口
２  フレーム部  
２Ｂ  平面部
２Ｃ  内方フランジ
２Ｄ  レバー挿通溝
２Ｅ  開口（開口部）
２Ｆ  レバー係止部
２Ｇ  デフレクター係止部
２Ｈ  段部
２Ｊ  梁状部
３  弁体  
４  感熱分解部  
５  デフレクター  
５Ｃ  ガイドピン（ロッド）
６  サポートカップ  
７  カバープレート  
Ｄ  段部
Ｅ  円盤部分  
Ｅ１  長いスリット  
Ｅ２  短いスリット  
Ｈ１  羽根  
Ｈ２  補助羽根  
Ｈ５  長穴（穴）  
Ｓ  斜面  
Ｔ  突起  
【図１】
2012080961.tif 000003
【図２】
2012080961.tif 000004
【図３】
2012080961.tif 000005
【図４】
2012080961.tif 000006
【図５】
2012080961.tif 000007
【図６】
2012080961.tif 000008
【図７】
2012080961.tif 000009
【図８】
2012080961.tif 000010
【図９】
2012080961.tif 000011
【図１０】
2012080961.tif 000012
【図１１】
2012080961.tif 000013